(57)【要約】【課題】元の動画像に含まれているＩピクチャを用いて早送り再生用の新たな動画像を生成する場合のバッファメモリの記憶容量等を迅速且つ適切に設定し得るように当該元の動画像を記録することが可能な情報記録装置等を提供する。【解決手段】ＭＰＥＧ方式に則った複数のピクチャにより構成される動画像をハードディスクＨＤに記録する場合に、各ピクチャのうち、動画像の早送り再生処理に用いられるＩピクチャを検出し、検出されたＩピクチャのうち、情報量が最も多いＩピクチャにおけるその情報量を、最大サイズ情報ＭＦＲＳとして検出し、検出された最大サイズ情報ＭＦＲＳを、動画像が記録されるべきハードディスクＨＤに記録する。【選択図】　　　図１
2004140685.tif 000002
【特許請求の範囲】
【請求項１】
複数の静止画像により構成される動画像を記録媒体に記録する情報記録装置において、
前記複数の静止画像に含まれている特殊再生用静止画像の最大情報量を検出する最大情報量検出手段と、
前記検出された最大情報量を、前記動画像が記録される前記記録媒体に記録する記録手段と、
を備えることを特徴とする情報記録装置。
【請求項２】
請求項１に記載の情報記録装置において、
前記動画像はＭＰＥＧ２（Ｍｏｔｉｏｎ　　Ｐｉｃｔｕｒｅ　Ｅｘｐｅｒｔｓ　　Ｇｒｏｕｐ　２）方式により圧縮された動画像であり、
前記特殊再生用静止画像は前記ＭＰＥＧ２方式におけるＩ（Ｉｎｔｒａ−ｃｏｄｅｄ）ピクチャであることを特徴とする情報記録装置。
【請求項３】
請求項１に記載の情報記録装置により前記記録媒体に記録された前記動画像を再生し、前記特殊再生用の特殊再生画像に変換する情報再生装置であって、
前記動画像を前記記録媒体から再生する再生手段と、
前記記録されている最大情報量を前記記録媒体から検出する検出手段と、
前記検出された最大情報量に基づいて、前記動画像を前記特殊再生画像に変換する際の変換諸元を設定する設定手段と、
前記設定された変換諸元に基づいて、前記再生された動画像を前記特殊再生画像に変換する変換手段と、
を備えることを特徴とする情報再生装置。
【請求項４】
請求項３に記載の情報再生装置において、
前記変換諸元は、前記動画像を前記特殊再生画像に変換する際に当該動画像を一時的に記憶する一時記憶手段であって、前記情報再生装置内に備えられた記憶手段内に確保される一時記憶手段の記憶容量であることを特徴とする情報再生装置。
【請求項５】
請求項３又は４に記載の情報再生装置において、
前記変換諸元は、変換後の前記特殊再生画像を外部に出力する際に使用される帯域幅であることを特徴とする情報再生装置。
【請求項６】
複数の静止画像により構成される動画像を記録媒体に記録する情報記録方法において、
前記複数の静止画像に含まれている特殊再生用静止画像の最大情報量を検出する最大情報量検出工程と、
前記検出された最大情報量を、前記動画像が記録される前記記録媒体に記録する記録工程と、
を備えることを特徴とする情報記録方法。
【請求項７】
請求項６に記載の情報記録方法により前記記録媒体に記録された前記動画像を再生し、前記特殊再生用の特殊再生画像に変換する情報再生方法であって、
前記動画像を前記記録媒体から再生する再生工程と、
前記記録されている最大情報量を前記記録媒体から検出する検出工程と、
前記検出された最大情報量に基づいて、前記動画像を前記特殊再生画像に変換する際の変換諸元を設定する設定工程と、
前記設定された変換諸元に基づいて、前記再生された動画像を前記特殊再生画像に変換する変換工程と、
を備えることを特徴とする情報再生方法。
【請求項８】
複数の静止画像により構成される動画像を記録媒体に記録する情報記録装置に含まれる記録コンピュータを、
前記複数の静止画像に含まれている特殊再生用静止画像の最大情報量を検出する最大情報量検出手段、及び、
前記検出された最大情報量を、前記動画像が記録される前記記録媒体に記録する記録手段、
として機能させることを特徴とする情報記録用プログラム。
【請求項９】
請求項８に記載の情報記録装置により前記記録媒体に記録された前記動画像を再生し、前記特殊再生用の特殊再生画像に変換する情報再生装置に含まれる再生コンピュータを、
前記動画像を前記記録媒体から再生する再生手段、
前記記録されている最大情報量を前記記録媒体から検出する検出手段、
前記検出された最大情報量に基づいて、前記動画像を前記特殊再生画像に変換する際の変換諸元を設定する設定手段、及び、
前記設定された変換諸元に基づいて、前記再生された動画像を前記特殊再生画像に変換する変換手段、
として機能させることを特徴とする情報再生用プログラム。
【請求項１０】
請求項８に記載の情報記録用プログラムが、前記記録コンピュータで読取可能に記録された情報記録媒体。
【請求項１１】
請求項９に記載の情報再生用プログラムが、前記再生コンピュータで読取可能に記録された情報記録媒体。
【請求項１２】
複数の静止画像により構成される動画像が記録されている動画像記録領域と、
前記複数の静止画像に含まれている特殊再生用静止画像の最大情報量が記録されている最大情報量記録領域と、
を備えることを特徴とする記録媒体。
【請求項１３】
請求項１２に記載の記録媒体において、
前記動画像はＭＰＥＧ２方式により圧縮された動画像であり、
前記特殊再生用静止画像は前記ＭＰＥＧ２方式におけるＩピクチャであることを特徴とする記録媒体。
【発明の詳細な説明】
【０００１】
【発明の属する技術分野】
本発明は、情報記録装置、情報再生装置、情報記録用プログラム、情報再生用プログラム、記録媒体及び情報記録媒体の技術分野に属し、より詳細には、外部から入力されてくる動画像を記録媒体に記録する情報記録装置及び情報記録用プログラム、当該記録された動画像を特殊再生用の特殊再生画像に変換する情報再生装置及び情報再生用プログラム、当該動画像記録用の記録媒体並びに上記情報記録用プログラム又は情報再生用プログラムが記録された情報記録媒体の技術分野に属する。
【０００２】
【従来の技術】
近年、従来の光ディスクであるＣＤ（Ｃｏｍｐａｃｔ　Ｄｉｓｃ）に対して記録密度を大幅に向上させたＤＶＤ（Ｄｉｇｉｔａｌ　Ｖｅｒｓａｔｉｌｅ　　Ｄｉｓｃ）が広く一般化しつつある。
【０００３】
ここで、当該ＤＶＤには、例えば映画一本分の動画像が対応する音声と共に記録されているのであるが、この場合、当該動画像は、いわゆるＭＰＥＧ方式により圧縮されて記録されている。ここで、ＭＰＥＧ方式により圧縮された動画像は、当該圧縮後においては、Ｉピクチャ、Ｐ（Ｐｒｅｄｉｃｔｉｖｅ−ｃｏｄｅｄ）ピクチャ及びＢ（Ｂｉｄｉｒｅｃｔｉｏｎａｌｌｙ　ｐｒｅｄｉｃｔｉｖｅ−ｃｏｄｅｄ）ピクチャとしてＤＶＤに記録されている。
【０００４】
一方、当該ＤＶＤに記録されている動画像を再生する場合の再生態様としては、当該動画像の記録時における時間軸に沿った通常の（本来の）再生速度による再生の他に、いわゆる特殊再生と呼ばれる再生態様があり、その特殊再生の中でも使用頻度の高いものとしていわゆる早送り再生がある。そして、この特殊再生としての早送り再生では、従来、ＤＶＤに記録されている各ピクチャのうちＩピクチャのみを検出し、その検出したＩピクチャを連続して再生することで早送り再生を実現していた。
【０００５】
ここで、従来の早送り再生を行うための手法としてより具体的には、当該早送り再生を行う旨の操作が為されると、先ず上記Ｉピクチャ夫々を検出し、それを時間軸に沿って且つＭＰＥＧ方式に則って並べ直すことにより、早送り再生用の動画像を新たに構成して出力する構成となっていた。
【０００６】
他方、一般に、ＭＰＥＧ方式に則って新たな動画像を生成する場合、第一に、元の動画像を一時的に記憶しておくバッファメモリを用いて当該生成が行われる場合が多い。そして、この場合、その装置に備えられている他の用途用のメモリの一部をバッファメモリとして確保した上で当該生成用に用いる場合が多く、従って、このバッファメモリとしては、当該生成にあたって必要な最小限の記憶容量を予め設定した上で上記メモリ内の一部をバッファメモリとして確保することで実現されていた。また、第二に、当該新たな動画像を生成する場合には、その生成後の動画像を外部に出力する際の転送データ量等を考慮した上で生成する必要もあった。
【０００７】
従って、これらのＭＰＥＧ方式下での一般的な動画像の生成手法を考慮した場合、上記した早送り再生用の新たな動画像を生成するに当たっては、その新たな動画像を構成することとなる各Ｉピクチャの有する情報量を夫々に検出した上で上記バッファメモリとしての記憶容量や外部転送用の転送レート等を最適に設定して新たな動画像を生成を行う必要がある。
【０００８】
【発明が解決しようとする課題】
しかしながら、上述した従来の早送り再生用動画像の生成方法によると、バッファメモリとしての記憶容量及び外部への転送レート等を適切に設定するためには、早送り再生の対象となる元の動画像に含まれるＩピクチャの情報量を、その早送り再生の実行時において全て予め検出した上で早送り再生用の動画像を生成する必要があり、従って、全てのＩピクチャの情報量を検出しない限りはバッファメモリとしての記憶容量を設定することができないことから、早送り再生を実行する情報再生装置の構成が複雑化しその処理負担も増大してしまうと共に、外部への転送レート等の設定を行うこともできないという問題点があった。
【０００９】
そこで、本発明は、上記の問題点に鑑みて為されたもので、その課題の一例は、例えば、元の動画像に含まれているＩピクチャを用いて早送り再生用の新たな動画像を生成する場合のバッファメモリの記憶容量又は外部に対する転送レート等を迅速且つ適切に設定し得るように当該元の動画像を記録することが可能な情報記録装置及び情報記録用プログラム、当該情報記録装置により記録された動画像を元にして迅速且つ適切に早送り再生用の動画像を生成することが可能な情報再生装置及び情報再生用プログラム及び当該情報記録用プログラム又は情報再生用プログラムが記録された情報記録媒体並びに当該情報記録装置により情報が記録された記録媒体を提供することにある。
【００１０】
【課題を解決するための手段】
上記の課題を解決するために、請求項１に記載の発明は、複数の静止画像により構成される動画像を記録媒体に記録する情報記録装置において、前記複数の静止画像に含まれている特殊再生用静止画像の最大情報量を検出する最大情報量検出手段と、前記検出された最大情報量を、前記動画像が記録される前記記録媒体に記録する記録手段と、を備える。
【００１１】
上記の課題を解決するために、請求項３に記載の発明は、請求項１に記載の情報記録装置により前記記録媒体に記録された前記動画像を再生し、前記特殊再生用の特殊再生画像に変換する情報再生装置であって、前記動画像を前記記録媒体から再生する再生手段と、前記記録されている最大情報量を前記記録媒体から検出する検出手段と、前記検出された最大情報量に基づいて、前記動画像を前記特殊再生画像に変換する際の変換諸元を設定する設定手段と、前記設定された変換諸元に基づいて、前記再生された動画像を前記特殊再生画像に変換する変換手段と、を備える。
【００１２】
上記の課題を解決するために、請求項６に記載の発明は、複数の静止画像により構成される動画像を記録媒体に記録する情報記録方法において、前記複数の静止画像に含まれている特殊再生用静止画像の最大情報量を検出する最大情報量検出工程と、前記検出された最大情報量を、前記動画像が記録される前記記録媒体に記録する記録工程と、を備える。
【００１３】
上記の課題を解決するために、請求項７に記載の発明は、請求項６に記載の情報記録方法により前記記録媒体に記録された前記動画像を再生し、前記特殊再生用の特殊再生画像に変換する情報再生方法であって、前記動画像を前記記録媒体から再生する再生工程と、前記記録されている最大情報量を前記記録媒体から検出する検出工程と、前記検出された最大情報量に基づいて、前記動画像を前記特殊再生画像に変換する際の変換諸元を設定する設定工程と、前記設定された変換諸元に基づいて、前記再生された動画像を前記特殊再生画像に変換する変換工程と、を備える。
【００１４】
上記の課題を解決するために、請求項８に記載の発明は、複数の静止画像により構成される動画像を記録媒体に記録する情報記録装置に含まれる記録コンピュータを、前記複数の静止画像に含まれている特殊再生用静止画像の最大情報量を検出する最大情報量検出手段、及び、前記検出された最大情報量を、前記動画像が記録される前記記録媒体に記録する記録手段、として機能させる。
【００１５】
上記の課題を解決するために、請求項９に記載の発明は、請求項８に記載の情報記録装置により前記記録媒体に記録された前記動画像を再生し、前記特殊再生用の特殊再生画像に変換する情報再生装置に含まれる再生コンピュータを、前記動画像を前記記録媒体から再生する再生手段、前記記録されている最大情報量を前記記録媒体から検出する検出手段、前記検出された最大情報量に基づいて、前記動画像を前記特殊再生画像に変換する際の変換諸元を設定する設定手段、及び、前記設定された変換諸元に基づいて、前記再生された動画像を前記特殊再生画像に変換する変換手段、として機能させる。
【００１６】
上記の課題を解決するために、請求項１０に記載の発明は、請求項８に記載の情報記録用プログラムが、前記記録コンピュータで読取可能に記録されている。
【００１７】
上記の課題を解決するために、請求項１１に記載の発明は、請求項９に記載の情報再生用プログラムが、前記再生コンピュータで読取可能に記録されている。
【００１８】
上記の課題を解決するために、請求項１２に記載の発明は、複数の静止画像により構成される動画像が記録されている動画像記録領域と、前記複数の静止画像に含まれている特殊静止画像の最大情報量が記録されている最大情報量記録領域と、を備える。
【００１９】
上記の課題を解決するために、請求項１３に記載の発明は、請求項１２に記載の記録媒体において、前記動画像はＭＰＥＧ２方式により圧縮された動画像であり、前記特殊再生用静止画像は前記ＭＰＥＧ２方式におけるＩピクチャであるように構成される。
【００２０】
【発明の実施の形態】
次に、本発明に好適な実施の形態について、図面に基づいて説明する。
【００２１】
なお、以下に説明する実施の形態は、記録媒体としてのハードディスクに対して、例えばＢＳ（Ｂｒｏａｄｃａｓｔ　　Ｓａｔｅｌｌｉｔｅ）デジタル放送に代表されるデジタル放送により放送されているデジタル情報（画像及び音声を含む）を記録することが可能であると共に、当該記録されたデジタル情報を再生することが可能な情報記録再生装置に対して本発明を適用した場合の実施の形態である。
【００２２】
なお、実施形態に係る情報記録再生装置においては、上記デジタル情報の再生につき、通常の速度によりデジタル情報を再生する通常再生のほかに、当該デジタル情報に含まれている動画像を早送りに再生する早送り再生も実行可能とされている。
【００２３】
また、以下に説明する実施形態においては、上記デジタル情報は、動画像の圧縮技術に関する規格として周知であるＭＰＥＧ２規格において定義付けられているいわゆるトランスポートストリーム規格に則って放送されてくるものとする。
【００２４】
（Ｉ）記録フォーマットの実施形態
始めに、実施形態に係る情報記録再生装置について具体的に説明する前に、当該情報記録再生装置により上記ハードディスクに対して上記デジタル情報を記録する際に用いられる論理的な記録フォーマットの概要について、図１を用いて説明する。
【００２５】
なお、図１は、当該デジタル情報が当該記録フォーマットに基づいて上記ハードディスクに記録された後の論理的なフォーマットを、階層的かつ模式的に示す図である。また、図１に示す記録フォーマットは、本実施形態のデジタル情報を上記ハードディスクに記録する際に用いられる論理的な記録フォーマットであり、当該記録の際に用いられる物理的な記録フォーマットについては、ハードディスクに用いられている周知の物理フォーマットがそのまま用いられる。
【００２６】
次に、具体的な記録フォーマットの説明の前提として、記録されているデジタル情報の記録態様を、その内容に応じて効率的に管理するために当該記録フォーマットにおいて採用されている種々の概念について、その概要を説明する。
【００２７】
当該概念として、第一に、以下の記録フォーマットにおいては、記録されているデジタル情報を取り扱う際の単位として、「ユニット」なる概念が用いられている。すなわち、当該ユニットとは、その記録時において時間的に連続して上記ハードディスクに記録された一纏まりのデジタル情報を言う。より具体的には、例えば、当該デジタル情報がＢＳデジタル放送で放送されているものである場合は、当該ＢＳデジタル放送において定義されている一つのイベントが一つのユニットに相当するものとなる。
【００２８】
次に、上記概念として第二に、例えばＢＳテジタル放送においては、トランスポートストリーム内の画像情報を格納するいわゆるパケットにつき、同一の識別番号（パケット同士を識別するための識別番号であり、以下、当該識別番号をＰＩＤ（Ｐａｃｋｅｔ　ＩＤ）と称する）を有する複数のパケットを一纏まりとして取り扱う場合があるが、上記記録フォーマットでは、この同一のＰＩＤを有する複数のパケットにより構成される一纏まりのデジタル情報を「ディレクトリ」なる概念として用いる。すなわち、ディレクトリとは、一つのユニット全体又はその一部を特定し、一のＰＩＤを用いてその特定したものを表した概念である。
【００２９】
最後に、上記概念として第三に、以下の記録フォーマットにおいては、一のディレクトリ中に含まれている画像情報のうち上記ＭＰＥＧ２規格で定義されている一のＧＯＰ（Ｇｒｏｕｐ　ｏｆ　Ｐｉｃｔｕｒｅ）に相当する一纏まりの画像情報を示すものとして「アプリケーションＧＯＰ」なる概念が用いられている。
【００３０】
次に、上述してきた極々の概念に基づいて、本実施形態に係る論理的な記録フォーマットについて、図１を用いて具体的に説明する。
【００３１】
図１に示すように、必要なデジタル情報が記録された後のハードディスクＨＤ上には、複数（図１の場合は「ｋ」個）のユニットＹ１乃至Ｙｋが論理上構成されている。
【００３２】
次に、一のユニット（例えば第１ユニットＹ１）は、当該第１ユニットＹ１全体を管理するための管理情報である第１ユニット情報ＩＮＦ１と、放送されハードディスクに記録されたデジタル情報のうち第１ユニットＹ１に属するデジタル情報の実体そのものである第１ストリーム情報ＳＴＲ１と、により構成されている。
【００３３】
そして、一のストリーム情報（例えば、第１ストリーム情報ＳＴＲ１）は、一又は複数（図１の第１ユニットＹ１の場合は「ｎ」個）の上記ディレクトリＤＩＲ１乃至ＤＩＲｎにより構成されている。このとき、一のストリーム情報ＳＴＲに含まれているディレクトリＤＩＲには、当該一のストリーム情報ＳＴＲ内で連続した一連番号が付されている。
【００３４】
一方、一のユニット情報（例えば第１ユニット情報ＩＮＦ１）は、当該ユニットＹ内に含まれているディレクトリＤＩＲの数（図１に示す第１ユニットＹ１の場合は「ｎ」個）を示すディレクトリ数情報ＤＮ（２バイト）と、当該ユニットＹに含まれている動画像を構成するＩピクチャのうち最も情報量が多いＩピクチャにおける当該情報量を示す情報である最大サイズ情報ＭＦＲＳと、一のユニットＹに属するディレクトリＤＩＲを管理するために当該各ディレクトリＤＩＲ毎に対応付けられている後述のディレクトリ情報ＤＩが記録されているハードディスクＨＤ上の記録位置を、そのディレクトリＤＩＲが属するユニットＹの先頭の記録位置を基準とした相対位置として示すディレクトリ参照位置情報（４バイト）ＤＳ１乃至ＤＳｎと、各ディレクトリ参照位置情報ＤＳにより示されるハードディスクＨＤ上の記録位置を夫々の先頭として夫々記録されているディレクトリ情報ＤＩ１乃至ＤＩｎと、により構成されている。ここで、ディレクトリ情報ＤＩは、そのディレクトリ情報ＤＩが含まれているユニットＹ内に属するディレクトリＤＩＲの数だけ含まれている。
【００３５】
一方、一のディレクトリＤＩＲ（例えば、第１ディレクトリＤＩＲ１）は、図１に示すように、一又は複数（第１ディレクトリＤＩＲ１の場合は「ｍ」個）のアプリケーションＧＯＰ１００により構成されている。このとき、一のディレクトリＤＩＲに含まれているアプリケーションＧＯＰ１００には、当該一のディレクトリＤＩＲ内で連続した一連番号が付されている。
【００３６】
次に、各ディレクトリ情報ＤＩの細部構成について説明する。
【００３７】
図１に示すように、一のディレクトリ情報ＤＩは、それが対応するディレクトリＤＩＲに含まれている上記パケットの数を示すディレクトリサイズ情報ＤＳＺ（４バイト）と、当該ディレクトリＤＩＲに含まれている画像情報の表示時間の合計を示すディレクトリ表示時間情報ＤＰＴ（４バイト）と、当該ディレクトリＤＩＲに含まれている各パケットに共通のＰＩＤであるビデオＰＩＤ情報ＶＰＤ（２バイト）と、各パケット内に含まれている映像情報における基本表示周波数を示すフレームコードＦＣ（１バイト）と、予備としての無意味な情報である予備情報ＲＳＶ（１バイト）と、一のディレクトリＤＩＲにおける最初のパケットが記録されているハードディスクＨＤ上の位置を当該ディレクトリＤＩＲの先頭からのバイト数で示すパケットポインタ情報ＰＰ（４バイト）と、一のディレクトリＤＩＲにおける最初のアプリケーションＧＯＰが記録されているハードディスクＨＤ上の位置を、上記そのディレクトリＤＩＲにおける最初のパケットが記録されているハードディスクＨＤ上の位置からのパケット数で示すＧＯＰパケットポインタ情報ＧＰＰ（４バイト）と、一のディレクトリＤＩＲに含まれるアプリケーションＧＯＰの数を示す情報であるポインタテーブル数情報ＰＴＮ（４バイト）と、対応するアプリケーションＧＯＰを管理するための管理情報であるポインタテーブルＰＴ１乃至ＰＴｍと、により構成されている。
【００３８】
ここで、ポインタテーブルＰＴは、そのポインタテーブルＰＴが含まれているディレクトリ情報ＤＩが対応するディレクトリＤＩＲに含まれているアプリケーションＧＯＰの数だけ含まれている。
【００３９】
最後に、各ポインタテーブルＰＴの細部構成について説明する。
【００４０】
図１に示すように、一のポインタテーブルＰＴは、そのポインタテーブルＰＴが対応するアプリケーションＧＯＰ１００に含まれているデジタル情報の情報量を示すＧＯＰサイズ情報ＧＯＳと、当該アプリケーションＧＯＰ１００に含まれているデジタル情報の表示時間（すなわち、そのアプリケーションＧＯＰ１００の再生時間）を示す表示時間情報ＰＭと、そのアプリケーションＧＯＰ１００内に含まれているＩピクチャのうち、最初に再生されるＩピクチャの情報量を示すピクチャサイズ情報ＰＴＳと、により構成されている。
【００４１】
以上説明した階層的な記録フォーマットを用いてデジタル情報が記録されていることから、以下に説明する情報記録再生装置において、当該記録されているデジタル情報の効率的な再生処理が可能となっている。
【００４２】
（ＩＩ）情報記録再生装置の実施形態
次に、ＢＳデジタル放送から受信したデジタル情報を、図１において説明した記録フォーマットに基づいてハードディスクＨＤに記録すると共に当該記録したデジタル情報を再生する情報記録再生装置の実施形態について、図２乃至図５を用いて説明する。
【００４３】
なお、図２及び図３は当該情報記録再生装置の構成を示すブロック図であり、図４は当該情報記録再生装置におけるデジタル情報のハードディスクＨＤへの記録処理を示すフローチャートであり、図５は当該情報記録再生装置におけるデジタル情報のハードディスクＨＤからの再生処理のうちの早送り再生処理を示すフローチャートである。
【００４４】
（Ａ）概要構成及び全体動作
先ず、当該情報記録再生装置の概要構成及び全体動作について、図２を用いて説明する。
【００４５】
図２に示すように、実施形態に係る情報記録再生装置Ｓは、アンテナＡＮＴが接続されているデジタル放送受信部１と、記録手段としての記録部２と、一時記憶手段としてのメモリ３Ａを含む最大情報量検出手段としてのマイクロコンピュータ（以下、マイコンと称する）部３と、図１に示す記録フォーマットによりデジタル情報が記録されるハードディスクＨＤを含むハードディスク部４と、グラフィックス部５と、映像デコード部６と、スイッチ７と、再生制御部８と、ＯＳＤ（Ｏｎ　Ｓｃｒｅｅｎ　Ｄｉｓｐｌａｙ）部９と、ＨＳＩ（Ｈｉｇｈ　Ｓｐｅｅｄ　　Ｉｎｔｅｒｆａｃｅ）部１０と、持ち運び可能なリモコン１２と、リモコン１２から赤外線等を用いて送信された情報を受信するリモコン受信部１１と、により構成されている。
【００４６】
また、再生制御部８は、図３に示すように、再生部２０と、変換手段としての変換部２１と、スイッチ２２と、により構成されている。
【００４７】
次に、全体動作を説明する。
【００４８】
先ず、情報記録装置Ｓを用いて、放送電波により放送されているデジタル放送中のデジタル情報を受信してハードディスクＨＤに記録する際の全体動作を説明する。
【００４９】
デジタル情報の記録時においては、スイッチ７は記録部２側に切り換えられている。
【００５０】
このとき、アンテナＡＮＴは当該放送電波を受信し、当該受信した放送電波に対応する受信信号Ｓｒｒを生成してデジタル放送受信部１へ出力する。
【００５１】
次に、デジタル放送受信部１は、制御情報Ｓｃｎの授受によるマイコン部３からの制御の下、受信したデジタル情報から所望されているチャンネルに対応するデジタル情報を選択し、デジタル情報Ｓｒｎとしてスイッチ７の一方の入力端子及び記録部２に出力する。これと並行して、デジタル放送受信部１は、選択したチャンネル内のデジタル情報を構成している各パケットのＰＩＤを検出し、その内容を制御情報Ｓｃｎとしてマイコン部３に出力する。
【００５２】
次に、記録部２は、上記デジタル情報Ｓｒｎの中から、予め選択されているハードディスクＨＤに記録すべきデジタル情報を抽出し、それを連続してハードディスクＨＤへの記録が可能な記録レートにより記録情報Ｓｒとして当該ハードディスクＨＤを含むハードディスク部４へ出力する。また、後述する実施形態の記録処理においては、記録部２は、マイコン部３から制御情報Ｓｓｒとして出力されてくるＰＩＤを有するパケット内に含まれている画像情報につき、当該マイコン部３により指示されるＩピクチャの当該パケット内における時間的位置やその情報量を検出し、これらを一時的に記憶すると共にマイコン部３へ出力する。
【００５３】
これにより、ハードディスク部４は、制御情報Ｓｓｈの授受によるマイコン部３からの制御の下、内蔵するハードディスクＨＤに対して図１に示した記録フォーマットに則って上記必要なデジタル情報及び最大サイズ情報ＭＦＲＳ等の制御情報を含む記録情報Ｓｒを記録する。
【００５４】
一方、デジタル情報の記録時において、スイッチ７を介してスイッチ情報Ｓｓｗとして記録情報Ｓｒｎが入力される映像デコード部６は、当該記録情報Ｓｒｎに含まれているデジタル情報を復調し、復調情報Ｓｄｃとしてグラフィックス部５へ出力する。
【００５５】
そして、グラフィックス部５は、当該復調情報Ｓｄｃ内に含まれている画像情報を表示用に加工し、アナログ信号である表示情報Ｓｖとして外部の図示しないディスプレイに出力し、当該画像情報に対応する画像を表示させる。
【００５６】
なお、上記した映像デコード部６及びグラフィックス部５における画像に関する処理と並行して、記録情報Ｓｒｎに含まれる音声情報は、図示しない音声デコード部において復調された後、外部の図示しないスピーカに出力されて放音される。
【００５７】
また、復調情報Ｓｄｃに含まれる画像に対応する字幕又は表示諸元等の副画像は、制御信号Ｓｃｏの授受によるマイコン部３からの制御の下、ＯＳＤ部９において別途生成され、ＯＳＤ情報Ｓｏｓｄとしてグラフィックス部５へ出力される。
【００５８】
そして、グラフィックス部５は、当該ＯＳＤ情報Ｓｏｓｄに含まれている副画像情報を必要に応じて上記復調情報Ｓｄｃに重畳し、これらを合わせて上記表示情報Ｓｖに含まれる画像情報を生成する。
【００５９】
上述した一連の記録動作により、受信したデジタル情報に含まれている画像情報のハードディスクＨＤへの記録を、その記録される画像情報の内容を図示しない外部のディスプレイにおいて確認しつつ実行できることとなる。
【００６０】
そして、マイコン部３は、リモコン１２において実行された記録処理を制御するための操作の内容に対応して当該リモコン１２から射出される赤外線ＩＲをリモコン受光部１１において受光することにより当該リモコン受光部１１から出力される操作情報Ｓｏｐに基づいて、上記制御情報Ｓｃｎ、Ｓｓｒ及びＳｓｈを生成して対応する構成部材に出力すると共に、上述した記録処理を統轄制御する。このとき、当該統轄制御に必要な情報は、一時的にメモリ３Ａに記憶され、その後読み出されて必要な処理に供される。
【００６１】
なお、上述した記録処理の実行に当たっては、再生制御部８及びＨＳＩ部１０は何ら機能しない。
【００６２】
次に、上述した記録処理によりハードディスクＨＤに記録されてデジタル情報を再生する場合の動作を説明する。
【００６３】
先ず、当該デジタル情報本来の再生速度により再生する通常再生処理について説明する。
【００６４】
当該通常再生処理においては、スイッチ７が再生制御部８側に切り換えられていると共に、再生制御部８内のスイッチ２２が再生部２０側に切り換えられている。
【００６５】
そして、リモコン１２において当該通常再生処理を開始する旨の操作が実行されると、当該開始操作に対応して当該リモコン１２から射出される赤外線ＩＲをリモコン受光部１１において受信することで当該リモコン受光部１１から出力される操作情報Ｓｏｐに基づき、マイコン３は、当該開始操作において指定されたデジタル情報をハードディスクＨＤから検出すべく制御情報Ｓｓｈを生成してハードディスク部４へ出力する。
【００６６】
これにより、ハードディスク部４は、当該制御情報Ｓｓｈにより指定されたデジタル情報をハードディスクＨＤから検出し、検出情報Ｓｐとして再生制御部８内の再生部２０へ出力する。
【００６７】
そして、再生部２０は、当該検出情報Ｓｐ内に含まれているデジタル情報に対して予め設定されている再生処理を施し、再生処理情報Ｓｐｐを生成してスイッチ２２を介して再生情報Ｓｐｄとしてスイッチ７へ出力する。
【００６８】
これにより、スイッチ７を介してスイッチ情報Ｓｓｗとして再生情報Ｓｐｄが入力される映像デコード部６は、当該再生情報Ｓｐｄに含まれているデジタル情報を復調し、復調情報Ｓｄｃとしてグラフィックス部５へ出力する。
【００６９】
そして、グラフィックス部５は、上記記録処理の場合と同様に、当該復調情報Ｓｄｃ内に含まれている画像情報を表示用に加工して表示情報Ｓｖとして外部の図示しないディスプレイに出力し、当該画像情報に対応する画像を表示させる。
【００７０】
なお、上記した映像デコード部６及びグラフィックス部５における画像に関する処理と並行して、再生情報Ｓｐｄに含まれる音声情報は、図示しない音声デコード部において復調された後、外部の図示しないスピーカに出力されて放音される。
【００７１】
また、復調情報Ｓｄｃに含まれる画像に対応する字幕又は表示諸元等の副画像は、制御信号Ｓｃｏの授受によるマイコン部３からの制御の下、ＯＳＤ部９において別途生成され、ＯＳＤ情報Ｓｏｓｄとしてグラフィックス部５へ出力される。
【００７２】
そして、グラフィックス部５は、当該ＯＳＤ情報Ｓｏｓｄに含まれている副画像情報を必要に応じて上記復調情報Ｓｄｃに重畳し、これらを合わせて上記表示情報Ｓｖに含まれる画像情報を生成する。
【００７３】
一方、再生情報Ｓｐｄを外部の図示しない例えばデジタルテレビジョン装置に対してデジタル的に出力する場合は、当該再生情報Ｓｐｄは、ＨＳＩ部１０へ出力される。
【００７４】
そして、当該ＨＳＩ部１０は、制御情報Ｓｃｃの授受によるマイコン部３の制御の下、当該再生情報Ｓｐｄに対してデジタル的にインターフェース処理を施し、デジタル情報である出力情報Ｓｄｐとして当該外部のデジタルテレビジョン装置等に出力する。なお、当該出力情報Ｓｄｐには、デジタル情報としての画像情報及び音声情報の双方が含まれている。
【００７５】
次に、ハードディスクＨＤに記録されているデジタル情報を早送り再生する早送り再生処理について説明する。
【００７６】
当該早送り再生処理においては、スイッチ７が再生制御部８側に切り換えられていると共に、再生制御部８内のスイッチ２２が変換部２１側に切り換えられている。
【００７７】
そして、リモコン１２において当該早送り再生処理を開始する旨の操作が実行されると、当該開始操作に対応して当該リモコン１２から射出される赤外線ＩＲをリモコン受光部１１において受信することで当該リモコン受光部１１から出力される操作情報Ｓｏｐに基づき、マイコン３は、当該開始操作において指定された早送り再生すべきデジタル情報をハードディスクＨＤから検出すべく制御情報Ｓｓｈを生成してハードディスク部４へ出力する。
【００７８】
これにより、ハードディスク部４は、当該制御情報Ｓｓｈにより指定されたデジタル情報をハードディスクＨＤから検出し、検出情報Ｓｐとして再生制御部８内の再生部２０へ出力する。これと並行して、ハードディスク部４は、上記最大サイズ情報ＭＦＲＳを始めとする早送り再生処理に必要な後述する如き情報を検出し、これを制御情報Ｓｓｈとしてマイコン部３へ出力する。
【００７９】
そして、再生部２０は、当該検出情報Ｓｐ内に含まれているデジタル情報に対して予め設定されている再生処理を施し、早送り再生処理用の再生処理情報Ｓｃｈを生成してマイコン部３内のメモリ３Ａにおけるバッファ領域としての未記録領域に一時的に記録させる。このとき、メモリ３Ａにおける上記一時的な記録処理に必要な未記録領域（バッファ領域）の記録容量等の早送り再生処理に必要な処理環境については、後述する如く、マイコン部３に既に出力されている最大サイズ情報ＭＦＲＳ等に基づいて当該マイコン部３により確保されることとなる。
【００８０】
次に、マイコン部３は、上記一時的に記録した再生処理情報Ｓｃｈを必要なタイミングで読み出し、変換部２１へ出力する。そして、変換部２１は、当該再生処理情報Ｓｃｈに基づいて、元の再生処理情報Ｓｃｈ内の画像情報の中からＩピクチャのみを抽出して早送り再生処理用の新たなデジタル情報である早送り用情報Ｓｃｖを生成し、これをスイッチ２２を介して再生情報Ｓｐｄとしてスイッチ７へ出力する。
【００８１】
これにより、スイッチ７を介してスイッチ情報Ｓｓｗとして再生情報Ｓｐｄが入力される映像デコード部６は、当該再生情報Ｓｐｄに含まれている早送り再生用のデジタル情報を復調し、復調情報Ｓｄｃとしてグラフィックス部５へ出力する。
【００８２】
そして、グラフィックス部５は、上記通常再生処理の場合と同様に、当該復調情報Ｓｄｃ内に含まれている早送り再生用の画像情報を表示用に加工して表示情報Ｓｖとして外部の図示しないディスプレイに出力し、当該画像情報に対応する画像を早送り再生させる。
【００８３】
一方、早送り再生用の再生情報Ｓｐｄを外部の図示しない例えばデジタルテレビジョン装置に対してデジタル的に出力する場合は、当該再生情報Ｓｐｄは、ＨＳＩ部１０へ出力される。
【００８４】
そして、当該ＨＳＩ部１０は、制御情報Ｓｃｃの授受によるマイコン部３の制御の下、当該再生情報Ｓｐｄに対してデジタル的にインターフェース処理を施し、デジタル情報である出力情報Ｓｄｐとして当該外部のデジタルテレビジョン装置等に出力する。
【００８５】
（Ｂ）記録処理の細部動作
次に、実施形態に係る受信したデジタル情報の記録処理の細部について、図２、図３及び図４を用いて説明する。
【００８６】
なお、図４に示す記録処理は、デジタル情報中のユニットＹ（図１参照）の記録開始と共にそのユニットＹの先頭に含まれているディレクトリＤＩＲの記録を開始し、そのディレクトリＤＩＲの記録を完了するまでの範囲の記録処理であり、当該記録されたデジタル情報を用いて早送り再生処理と通常再生処理の双方が実行されることを前提とした記録処理である。
【００８７】
リモコン１２における開始操作（ハードディスクＨＤに記録すべきデジタル情報のチャンネルの選択操作を含む）に基づいて、図１を用いて説明した記録フォーマットに則って受信したデジタル情報をハードディスクＨＤに記録する場合は、始めに、初期設定として、早送り再生処理用として記録の対象となるピクチャの種類を示すパラメータであるパラメータＰＴを「Ｉ」（Ｉピクチャ）と設定すると共に、以後の記録処理における各タイミングにおいてハードディスクＨＤに記録済みであるパケット数を示すパラメータであるパラメータＳＰＮの値と、現タイミングにおいて記録の対象となっているピクチャ（Ｉピクチャ又は他の種類のピクチャ）のハードディスクＨＤ上における記録開始位置に相当するパケットの番号であるパラメータＰＰｉの値をピクチャ毎に識別し、また現タイミングにおいて記録されたピクチャの情報量（大きさ）を表すパラメータＰＳｉの値をピクチャ毎に識別するためのインデックスｉの値と、現タイミングにおいて受信されたデジタル情報の中にいずれかのピクチャの存在自体は認識されているがそのピクチャのハードディスクＨＤ上における記録終了位置が認識されていない場合に値「１」となり、それ以外の場合に値「０」となるパラメータＰＦの値を、夫々「０」と設定する（ステップＳ１００）。
【００８８】
次に、放送電波を受信しているデジタル放送受信部１から、そのときに選択されているチャンネルに相当するデジタル情報に含まれるパケットであって画像を含むパケットを示すＰＩＤ（以下、当該画像を含むパケットを示すＰＩＤをビデオＰＩＤと称する）を制御情報Ｓｃｎとして取得する（ステップＳ１０１）。
【００８９】
これにより、マイコン部３は、取得したビデオＰＩＤ並びに記録の対象のピクチャがＩピクチャであることを制御情報Ｓｓｒとして記録部２に送信すると共に、記録の対象（早送り再生用として検出すべき対象）である各Ｉピクチャにおける情報量の最大値である上記最大サイズ情報ＭＦＲＳの値を「０」として初期化し、更に記録部２において、マイコン部３から出力されてきたビデオＰＩＤと同一のＰＩＤを有するパケットのデジタル情報Ｓｒｎからの検出を開始することで、必要なＩピクチャの検出及び記録を開始する（ステップＳ１０２）。
【００９０】
これと並行して、マイコン部３からの制御情報Ｓｓｒ及びＳｓｈに基づいて、デジタル情報のハードディスクＨＤへの記録を開始する（ステップＳ１０３）。
【００９１】
そして、当該デジタル情報の記録中においては、リモコン１２において記録終了を示す操作が為されたか否かが常に監視され（ステップＳ１０４）、終了操作が為されているときは（ステップＳ１０４；ＹＥＳ）、そのときの最大サイズ情報ＭＦＲＳを図１に示す記録フォーマットに則ってハードディスクＨＤに記録して（ステップＳ１１５）記録処理を終了する。
【００９２】
一方、ステップＳ１０４の判定において、記録終了操作が為されていないときは（ステップＳ１０４；ＮＯ）、引き続きデジタル情報としてのパケットの入力及び記録処理を継続し（ステップＳ１０５）、画像情報を含むパケットが入力されたか否かを判定する（ステップＳ１０６）。
【００９３】
そして、画像情報を含むパケットが入力されていないときは（ステップＳ１０６；ＮＯ）、次のパケットについて上述してきた処理を繰り返すべくパラメータＳＰＮを「１」だけインクリメントして（ステップＳ１１０）ステップＳ１０４へ戻る。
【００９４】
他方、ステップＳ１０６の判定において、画像情報を含むパケットが入力されてきたときは（ステップＳ１０６；ＹＥＳ）、次に、現タイミングにおいてパラメータＰＦの値が「０」か否かを確認する（ステップＳ１０７）。そして、パラメータＰＦの値が「０」であるときは（ステップＳ１０７；ＹＥＳ）、現タイミングにおいていずれかの種類のピクチャの記録終了位置が認識されていることから、次に、そのピクチャがステップＳ１００のパラメータＰＴにより指定された画像と同一であるか否か、即ちＩピクチャであるか否かを確認する（ステップＳ１０８）。
【００９５】
そして、その記録終了位置が認識されているピクチャがＩピクチャであるときは（ステップＳ１０８；ＹＥＳ）、この時点で早送り再生処理に用いるＩピクチャのハードディスクＨＤ上における記録開始位置が認識されたこととなるので、次にその記録開始位置に相当するパラメータＳＰＮの値をパラメータＰＰｉの値として設定し、更に次のピクチャについて上述した処理を実行すべくパラメータＰＦの値を「１」と設定して（ステップＳ１０９）上記ステップＳ１１０に移行する。
【００９６】
一方、ステップＳ１０８の判定において、そのときに記録終了位置が認識されているピクチャがＩピクチャでないときは（ステップＳ１０８；ＮＯ）、直近のＩピクチャを記録すべく上記ステップＳ１１０へ移行する。
【００９７】
他方、ステップＳ１０７の判定において、パラメータＰＦの値が「０」でないとき、すなわち「１」であるときは（ステップＳ１０７；ＮＯ）、現タイミングではいずれの種類のピクチャの記録終了位置も認識されておらず、従って現タイミングではいずれか一のピクチャ内の画像データを検出中であることとなるので、更に記録終了位置の認識を継続すべく、パラメータＰＰｉと現在のパラメータＳＰＮとの差を新たなパラメータＰＳｉとして設定する（ステップＳ１１１）。
【００９８】
次に、上記ステップＳ１１１の処理直後のタイミングにおけるパラメータＰＳｉの値とそのタイミングにおいて最大サイズ情報ＭＦＲＳとして記録されている値とを比較し（ステップＳ１１２）、パラメータＰＳｉの値が最大サイズ情報ＭＦＲＳの値よりも大きくないときは（ステップＳ１１２；ＮＯ）、今まで検出された中で最大の情報量を有するＩピクチャよりも情報量の大きいピクチャが記録されていないこととなるため、更に現在のピクチャの記録を継続すべく上記ステップＳ１０８に移行してそのピクチャの種類を判定し、以降上述した処理を繰り返す。
【００９９】
一方、ステップＳ１１２の判定において、現タイミングにおけるパラメータＰＳｉの値がそのときの最大サイズ情報ＭＦＲＳの値よりも大きいときは（ステップＳ１１２；ＮＯ）、今まで検出された中で最大の情報量を有するＩピクチャよりも更に情報量の大きいピクチャが現在記録中であり、その現在記録中のピクチャが新たな且つ今まで記録した中で最大の情報量を有するＩピクチャであることとなるため、現在のパラメータＰＳｉの値を新たな最大サイズ情報ＭＦＲＳの値として設定・記録し（ステップＳ１１３）、パラメータＰＰｉ及びＰＳｉにおけるインデックスｉを「１」だけインクリメントし（ステップＳ１１４）、その最大サイズ情報ＭＦＲＳとして情報量を記録したピクチャ（通常はＩピクチャとなる）の種類を判定して（ステップＳ１０８）、以後上述した処理を繰り返す。
【０１００】
以上説明した記録処理が継続されてデジタル情報Ｓｒｎが記録されることにより、早送り再生処理に用いられるＩピクチャのうち最大の情報量を有するＩピクチャにおけるその情報量が最大サイズ情報ＭＦＲＳとして記録されることとなる。
【０１０１】
（Ｃ）早送り再生処理の細部動作
次に、実施形態に係るデジタル情報のハードディスクＨＤからの早送り再生処理の細部について、図２、図３及び図５を用いて説明する。
【０１０２】
なお、以下に説明する早送り再生処理は、上述した記録処理により記録された最大サイズ情報ＭＦＲＳを用いて必要な設定を行いつつ実行される早送り再生処理である。
【０１０３】
リモコン１２における開始操作に基づいて、図１を用いて説明した記録フォーマットに則って受信したデジタル情報を早送り再生する場合は、図５に示すように、始めに、既に記録されている最大サイズ情報ＭＦＲＳを検出し（ステップＳ２０１）、次に、早送り再生用のデジタル情報をＨＳＩ部１０から外部に転送する場合におけるその転送レート及び帯域幅（以下、単に転送レート等と称する）を当該外部に告知する（当該告知として具体的には、デジタル情報が転送される外部のデジタルテレビジョン装置等に対して伝送すること等が含まれる。）必要があるか否かが判定され（ステップＳ２０３）、その必要がある場合は現在検出されている最大サイズ情報ＭＦＲＳを用いてその転送レート等を算出した上で告知し（ステップＳ２０４）後述するステップＳ２０５に移行する。
【０１０４】
一方、ステップＳ２０３の判定において、当該告知をする必要がないときは（ステップＳ２０３；ＮＯ）、次に、マイコン部３内のメモリ３Ａ上の未記録領域内に、上記早送り用情報Ｓｃｖを新たに生成するためのバッファ領域を確保する（ステップＳ２０５）。このとき、当該確保されるバッファ領域の記憶容量は、上記検出されている最大サイズ情報ＭＦＲＳを参照してオーバーフロー等の障害が発生しないように且つ当該バッファ領域として必要最小限の記憶容量となるように設定される。
【０１０５】
そして、バッファ領域が設定されたならば、そのバッファ領域を用いて上記再生処理情報Ｓｃｈの一時的な記憶を行いつつ変換部２１において上記早送り用情報Ｓｃｖを生成する（ステップＳ２０６）。
【０１０６】
その後、リモコン１２における操作により、当該生成した早送り情報Ｓｃｖを用いた早送り再生処理の開始が指示されたか否かが判定され（ステップＳ２０７）、早送り再生処理の開始指示がないのであれば（ステップＳ２０７；ＮＯ）開始指示があるまで待機し、一方、開始指示があったときは（ステップＳ２０７；ＹＥＳ）、当該生成された早送り情報Ｓｃｖを用いて実際の早送り再生処理を行う（ステップＳ２０８）。
【０１０７】
そして、早送り再生処理の実行中はその終了指示がリモコン１２において為されたか否かを監視し（ステップＳ２０９）、為されていないときは（ステップＳ２０９；ＮＯ）そのまま早送り再生処理を継続し、一方、終了指示が為されているときは（ステップＳ２０９；ＹＥＳ）、そのまま実施形態の早送り再生を終了する。
【０１０８】
なお、実施形態の情報記録再生装置Ｓにおいて通常速度の再生処理を実行する場合は、上述した全体動作における再生処理が実行される。
【０１０９】
以上説明したように、実施形態の情報記録再生装置Ｓの動作によれば、デジタル情報の記録時において、早送り再生処理用のＩピクチャのうち最大の情報量を有するＩピクチャにおけるその情報量がハードディスクＨＤに記録されるので、当該記録されたデジタル情報の早送り再生処理時において、Ｉピクチャを用いてデジタル情報を早送り用情報Ｓｃｖに変換する場合のバッファ領域の記憶容量等の変換諸元を適切且つ効率的に設定することができる。
【０１１０】
従って、当該早送り再生処理を行うに当たって全てのＩピクチャの情報量を検出する必要がなく、当該早送り再生処理を行う情報再生装置としての構成を簡略化することができると共にその処理負荷を低減して早送り再生処理を行うことができる。
【０１１１】
また、ハードディスクＨＤに記録されているＩピクチのうち最大の情報量を有するＩピクチャの当該情報量に基づいてその変換諸元を設定し、その設定された変換諸元に基づいて早送り用情報Ｓｃｖを生成するので、効率的に且つ他の処理に影響を与えることなく早送り用情報Ｓｃｖを生成することができる。
【０１１２】
更に、変換諸元の中にメモリ３Ａ内にバッファ領域として確保される記憶領域の記憶容量であるので、メモリ３Ａを無駄に使用することなく必要最小限の記憶容量を有するバッファ領域を当該メモリ３Ａ内に確保することができる。
【０１１３】
更にまた、当該変換諸元内にＨＳＩ部１０を用いて早送り情報Ｓｃｖを転送する場合の帯域幅が含まれているので、変換後の早送り用情報Ｓｃｖを外部に出力する際に必要な帯域幅を最適化することができる。
【０１１４】
なお、上述した実施形態では、早送り用情報Ｓｃｖの生成に当たって必要な記憶容量を有するバッファ領域の確保及び外部転送用の帯域幅の設定に当たって最大サイズ情報ＭＦＲＳを用いる場合について説明したが、これ以外に、例えば、早戻し再生処理等の他の特殊再生処理を実行するために必要な諸元設定に上記最大サイズ情報ＭＦＲＳを用いることも可能である。
【０１１５】
また、上述した図５及び図６に示すフローチャートに対応するプログラムをフレキシブルディスク又はハードディスク等の情報記録媒体に記録しておき、或いは、インターネット等のネットワークを介して取得して記録しておき、これらを汎用のマイクロコンピュータ等により読み出して実行することにより、当該マイクロコンピュータ等を実施形態のマイコン部３として機能させることも可能である。
【図面の簡単な説明】
【図１】実施形態の記録フォーマットを示す図である。
【図２】実施形態の情報記録再生装置の概要構成を示すブロック図である。
【図３】実施形態の情報記録再生装置の細部構成を示すブロック図である。
【図４】実施形態の記録処理を示すフローチャートである。
【図５】実施形態の早送り再生処理を示すフローチャートである。
【符号の説明】
１…デジタル放送受信部
２…記録部
３…マイコン
３Ａ…メモリ３Ａ
４…ハードディスク部
５…グラフィックス部
６…映像デコード部
７、２２…スイッチ
８…再生制御部
９…ＯＳＤ部
１０…ＨＳＩ部
１２…リモコン
１１…リモコン受信部
２０…再生部
２１…変換部
Ｓ…情報記録再生装置
ＡＮＴ…アンテナ
ＨＤ…ハードディスク
【図１】
2004140685.tif 000003
【図２】
2004140685.tif 000004
【図３】
2004140685.tif 000005
【図４】
2004140685.tif 000006
【図５】
2004140685.tif 000007